【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
無線通信方法であって、
１以上のマスキングベクトルでシフトレジスタから出力値をマスクすることにより、シーケンスジェネレータ用のサイクリックシフトを生成することと、
前記１以上のマスキングベクトルに従って前記シーケンスジェネレータ用の１以上のｍパラメータを生成することと、ここにおいて、少なくとも２セットの前記１以上のｍパラメータに異なるマスク値が適用される、
前記出力値、前記生成された１以上のｍパラメータ、および前記１以上のマスキングベクトルの一部に基づいて前記シーケンスジェネレータを所望の将来のシーケンス状態へ進めることと
の動作を実行するようにコンピュータ可読記憶媒体に記憶されたコンピュータ実行可能指示を実行するプロセッサを使用することを備え、
前記シーケンスジェネレータを所望の将来のシーケンス状態へ進めることは、
前記１以上のｍパラメータを使用して、前記所望の将来のシーケンス状態の直前に発生するビットのシーケンスを生成することと、
前記シフトレジスタを初期化するために前記生成されたビットのシーケンスを使用することとを備える、無線通信方法。
【請求項２】
前記ベクトルは、マルチビット多項式に関係する、請求項１記載の方法。
【請求項３】
前記１以上のｍパラメータは、ゴールドシーケンスを形成するためにセットとして組み合わせられる、請求項１記載の方法。
【請求項４】
前記ゴールドシーケンスは、少なくとも２セットの前記１以上のｍパラメータの排他的ＯＲ演算によって形成される、請求項３記載の方法。
【請求項５】
モジュロ２加算器を介して前記サイクリックシフトを生成することをさらに含む、請求項１記載の方法。
【請求項６】
前記モジュロ２加算器を介して付加的な多項式値を生成する、請求項５記載の方法。
【請求項７】
１以上のシーケンスホッピング関数を生成することをさらに含む、請求項１記載の方法。
【請求項８】
１以上のセル固有シーケンスホッピング関数を生成することをさらに含む、請求項１記載の方法。
【請求項９】
１以上のリソース固有シーケンスホッピング関数を生成することをさらに含む、請求項１記載の方法。
【請求項１０】
１以上の直交カバーホッピング関数を生成することをさらに含む、請求項１記載の方法。
【請求項１１】
シーケンスホッピングが使用可能である場合、インデックスホッピングシーケンスを適用することをさらに含む、請求項１記載の方法。
【請求項１２】
通信装置であって、
１以上のマスキングベクトルでシフトレジスタから出力値を組み合わせることにより、シーケンスジェネレータ用のサイクリックシフトを生成し、
前記１以上のマスキングベクトルに従って前記シーケンスジェネレータ用の１以上のｍパラメータを生成し、ここにおいて、少なくとも２セットの前記１以上のｍパラメータに異なるマスク値が適用される、
前記出力値、前記生成された１以上のｍパラメータ、および前記１以上のマスキングベクトルの一部に基づいて前記シーケンスジェネレータを所望の将来の状態で起動するための指示を保存するメモリと、ここにおいて、前記シーケンスジェネレータを所望の将来の状態で起動するための指示は、前記１以上のパラメータを使用して、前記所望の将来の状態の直前に発生するビットのシーケンスを生成し、前記シフトレジスタを初期化するために前記生成されたビットのシーケンスを使用するための指示を備える、
前記指示を実行するプロセッサと
を備える、通信装置。
【請求項１３】
前記１以上のｍパラメータは、ゴールドシーケンスを形成するためにセットとして組み合わせられる、請求項１２記載の装置。
【請求項１４】
前記ゴールドシーケンスは、少なくとも２セットの前記１以上のｍパラメータの排他的ＯＲ演算によって形成される、請求項１３記載の装置。
【請求項１５】
前記サイクリックシフトを生成するためのモジュロ２加算器をさらに含む、請求項１２記載の装置。
【請求項１６】
通信装置であって、
１以上のマスキングベクトルでレジスタから出力値をシフトするための手段と、
前記１以上のマスキングベクトルに従って１以上のｍパラメータを生成するための手段と、ここにおいて、少なくとも２セットの前記１以上のｍパラメータに異なるマスク値が適用される、
前記出力値、前記生成された１以上のｍパラメータ、および前記１以上のマスキングベクトルの一部に基づいて所望の将来のシーケンス状態を設定するための手段とを備え、
前記所望の将来のシーケンス状態を設定するための手段は、
前記１以上のｍパラメータを使用して、前記所望の将来のシーケンス状態の直前に発生するビットのシーケンスを生成し、
シフトレジスタを初期化するために前記生成されたビットのシーケンスを使用するように構成される、通信装置。
【請求項１７】
前記１以上のｍパラメータは、ゴールドシーケンスを形成するために使用される１セットのシーケンスに関連する、請求項１６記載の装置。
【請求項１８】
非一時的なコンピュータ可読媒体であって、
１以上のマスキングベクトルでシフトレジスタ出力値をマスクし、
前記１以上のマスキングベクトルに従って１以上のｍパラメータを生成し、ここにおいて、少なくとも２セットの前記１以上のｍパラメータに異なるマスク値が適用される、
前記出力値、前記生成された１以上のｍパラメータ、および前記１以上のマスキングベクトルの一部に基づいてシーケンスジェネレータに所望の将来のシーケンス状態を設定するための指示を備え、
前記シーケンスジェネレータに所望の将来のシーケンス状態を設定するための指示は、
前記１以上のｍパラメータを使用して、前記所望の将来のシーケンス状態の直前に発生するビットのシーケンスを生成し、
前記シフトレジスタを初期化するために前記生成されたビットのシーケンスを使用するための指示を備える、非一時的なコンピュータ可読媒体。
【請求項１９】
サイクリックシフト演算を実行するために加算器を使用する、請求項１８記載のコンピュータ可読媒体。
【請求項２０】
多項式値を介して前記シーケンスジェネレータを構成することをさらに備える、請求項１８記載のコンピュータ可読媒体。
【請求項２１】
１以上のマスキングベクトルに従ってシフトレジスタから出力値を調整し、
前記１以上のマスキングベクトルで１以上のｍパラメータをシーケンス化し、ここにおいて、少なくとも２セットの前記１以上のｍパラメータに異なるマスク値が適用される、
前記出力値、前記シーケンス化された１以上のｍパラメータ、および前記１以上のマスキングベクトルの一部に基づいてシーケンスジェネレータを所望の将来のシーケンス状態にクロックするための指示を実行するプロセッサであって、
前記シーケンスジェネレータを所望の将来のシーケンス状態にクロックするための指示は、
前記１以上のｍパラメータを使用して、前記所望の将来のシーケンス状態の直前に発生するビットのシーケンスを生成し、
前記シフトレジスタを初期化するために前記生成されたビットのシーケンスを使用するための指示を備える、プロセッサ。
【請求項２２】
少なくとも２つのｍシーケンスからゴールドシーケンスを生成することをさらに含む、請求項２１記載のプロセッサ。
【請求項２３】
無線通信方法であって、
シーケンスジェネレータ多項式と第１のサイクリックシフトから第１のマスキングベクトルを生成することと、
前記シーケンスジェネレータ多項式と第２のサイクリックシフトから第２のマスキングベクトルを生成することと、
前記第１および第２のマスキングベクトルに従って１以上のｍパラメータを生成することと、ここにおいて、少なくとも２セットの前記１以上のｍパラメータに異なるマスク値が適用される、
第１の出力値と第２の出力値を取得するためにシフトレジスタから出力値をマスクするための前記第１および第２のマスキングベクトルを使用することと
の動作を実行するようにコンピュータ可読記憶媒体に記憶されたコンピュータ実行可能指示を実行するプロセッサを使用することを備え、
前記第１の出力値、前記第２の出力値、前記マスキングベクトル、および前記生成された１以上のｍパラメータは、所望の将来のシーケンス状態を生成するために使用され、前記所望の将来のシーケンス状態を生成することは、
前記１以上のｍパラメータを使用して、前記所望の将来のシーケンス状態の直前に発生するビットのシーケンスを生成することと、
前記シフトレジスタを初期化するために前記生成されたビットのシーケンスを使用することを備える、無線通信方法。
【請求項２４】
第１のランダムシーケンスを作るために前記第１の出力値の結果を加えることをさらに含む、請求項２３記載の方法。
【請求項２５】
第２のランダムシーケンスを作るために前記第２の出力値の結果を加えることをさらに含む、請求項２３記載の方法。
【請求項２６】
無線通信システムで動作可能な装置であって、
シーケンスジェネレータ多項式と第１のサイクリックシフトから第１のマスキングベクトルを生成するための手段と、
前記シーケンスジェネレータ多項式と第２のサイクリックシフトから第２のマスキングベクトルを生成するための手段と、
前記第１および第２のマスキングベクトルに従って１以上のｍパラメータを生成するための手段と、ここにおいて、少なくとも２セットの前記１以上のｍパラメータに異なるマスク値が適用される、
所望の将来のシーケンス状態を生成するために前記マスキングベクトルおよび前記生成された１以上のｍパラメータで使用される第１の出力値と第２の出力値を取得するためにシフトレジスタから出力値をマスクするための前記第１および第２のマスキングベクトルを処理するための手段とを備え、
前記処理するための手段は、
前記１以上のｍパラメータを使用して、前記所望の将来のシーケンス状態の直前に発生するビットのシーケンスを生成し、
前記シフトレジスタを初期化するために前記生成されたビットのシーケンスを使用するように構成される、無線通信システムで動作可能な装置。
【請求項２７】
第１のランダムシーケンスを作るために前記第１の出力値の結果を加えるため、および第２のランダムシーケンスを作るために前記第２の出力値の結果を加えるためのコンポーネントをさらに含む、請求項２６記載の装置。
【請求項２８】
非一時的なコンピュータ可読媒体であって、
シーケンスジェネレータ多項式と第１のサイクリックシフトから第１のマスキングベクトルを生成することと、
前記シーケンスジェネレータ多項式と第２のサイクリックシフトから第２のマスキングベクトルを生成することと、
第１の出力値と第２の出力値を取得するためにシフトレジスタから出力値をマスクするための前記第１および第２のマスキングベクトルを使用することと、
前記第１および第２のマスキングベクトルに従って１以上のｍパラメータを生成することと、ここにおいて、少なくとも２セットの前記１以上のｍパラメータに異なるマスク値が適用される、
前記第１および第２の出力値、前記第１および第２のマスキングベクトル、および前記生成された１以上のｍパラメータに基づいて所望の将来のシーケンス状態を生成することとを含む動作を、コンピュータによって実行されるとき、前記コンピュータに実行させる指示を備え、
前記将来のシーケンス状態を生成することは、
前記１以上のｍパラメータを使用して、前記所望の将来のシーケンス状態の直前に発生するビットのシーケンスを生成することと、
前記シフトレジスタを初期化するために前記生成されたビットのシーケンスを使用することとを備える、非一時的なコンピュータ可読媒体。
【請求項２９】
少なくとも２つのｍシーケンスからゴールドシーケンスを生成することをさらに含む、請求項２８記載のコンピュータ可読媒体。
【請求項３０】
無線通信システムで動作可能な装置であって、
シーケンスジェネレータ多項式と第１のサイクリックシフトから第１のマスキングベクトルを生成し、
前記シーケンスジェネレータ多項式と第２のサイクリックシフトから第２のマスキングベクトルを生成し、
前記第１および第２のマスキングベクトルに従って１以上のｍパラメータを生成し、ここにおいて、少なくとも２セットの前記１以上のｍパラメータに異なるマスク値が適用される、
第１の出力値と第２の出力値を取得するためにシフトレジスタから出力値をマスクするための前記第１および第２のマスキングベクトルを使用し、
前記生成された１以上のｍパラメータ、前記第１および第２のマスキングベクトル、および前記シフトレジスタ出力値から所望の将来のシーケンス状態を生成するために構成されたプロセッサを備え、
前記プロセッサは、
前記１以上のｍパラメータを使用して、前記所望の将来のシーケンス状態の直前に発生するビットのシーケンスを生成することと、
前記シフトレジスタを初期化するために前記生成されたビットのシーケンスを使用することによって前記所望の将来のシーケンス状態を生成するように構成される、無線通信システムで動作可能な装置。
【請求項３１】
少なくとも１つのゴールドシーケンス値を生成することをさらに含む、請求項３０記載の装置。
【請求項３２】
通信方法であって、
１以上のマスキングベクトルでシフトレジスタから出力値をマスクすることにより、シーケンスジェネレータ用のサイクリックシフトを生成することと、
前記１以上のマスキングベクトルに従って１以上のｍパラメータを生成することと、ここにおいて、少なくとも２セットの前記１以上のｍパラメータに異なるマスク値が適用される、
前記出力値、前記生成された１以上のｍパラメータ、および前記１以上のベクトルに基づいてシフトレジスタ状態を所望の将来の状態に設定することにより前記シーケンスジェネレータ内で擬似ランダムシーケンスを進めることと
の動作を実行するようにコンピュータ可読記憶媒体に記憶されたコンピュータ実行可能な指示を実行するプロセッサを使用することを備え、
前記シフトレジスタを所望の将来の状態に設定することは、
前記１以上のｍパラメータを使用して、前記所望の将来の状態の直前に発生するビットのシーケンスを生成することと、
前記シフトレジスタを初期化するために前記生成されたビットのシーケンスを使用することを備える、通信方法。
【請求項３３】
前記将来の状態は、生成多項式、要求された前進のステップ数、または初期状態に依存する、請求項３２記載の方法。
【請求項３４】
前記所望の将来の状態の前に発生する連続するビットのシーケンスを生成するために前記１以上のｍパラメータを使用することと、
前記シフトレジスタ状態を初期化するために前記ビットを使用することと、
をさらに含む請求項３２記載の方法。